(57)【要約】  【課題】砲弾又は爆弾などの爆発物を加熱爆破炉に装入するための砲弾又は爆弾の装入用の容器を提供すること  【解決手段】バッチ式の加熱爆破炉に複数の砲弾又は爆弾（１０）を同時に装入するために用いる砲弾又は爆弾の装入用スペーサー容器（１）において、該容器内で該複数の砲弾又は爆弾が相互に接触しないようにスペーサー（７）〜（１１）を配設する。該容器はダンボール等の可燃物でできており、また、容器壁には開口が設けられていることが望ましい。  【選択図】    図１
2006029608.tif 000002
【特許請求の範囲】
【請求項１】
バッチ式の加熱爆破炉に複数の砲弾又は爆弾を同時に装入するために用いる砲弾又は爆弾の装入用スペーサー容器であって、該容器内で該複数の砲弾又は爆弾が相互に接触しないようにスペーサーが配設されていることを特徴とする砲弾又は爆弾の装入用スペーサー容器。
【請求項２】
前記容器が可燃物でできていることを特徴とする請求項１記載の砲弾又は爆弾の装入用スペーサー容器。
【請求項３】
前記容器壁には雰囲気ガスが流通しかつ輻射熱が直接砲弾又は爆弾にあたるように穴があけられていることを特徴とする請求項１又は２記載の砲弾又は爆弾の装入用スペーサー容器。
【請求項４】
前記容器壁の穴の開口率が容器壁面積合計の３５％以上、また隔壁を含む壁それぞれの開口率が２０％以上であることを特徴とする請求項１〜３のいずれかに記載の砲弾又は爆弾の装入用スペーサー容器。
【請求項５】
前記容器がダンボール製であることを特徴とする請求項１〜４のいずれかに記載の砲弾又は爆弾の装入用スペーサー容器。
【請求項６】
前記容器が木製であることを特徴とする請求項１〜４のいずれかに記載の砲弾又は爆弾の装入用スペーサー容器。
【発明の詳細な説明】
【技術分野】
【０００１】
本発明は、砲弾又は爆弾などの爆発物を安全に爆破処理するための加熱爆破炉において用いる砲弾又は爆弾の装入用の容器に関する。
【背景技術】
【０００２】
使用期限が切れた砲弾、弾薬等の爆発物は、従来は海洋、深い湖又は鉱山の縦坑等に廃棄されていた。しかしながら、このような廃棄方法は環境問題の観点から許されなくなっている。また、これらの爆発物を構成する材料の中には資源として有効に再利用できるものも含まれており、これを回収せずに廃棄することは経済的にも不利である。
このため、上記爆発物を安全に爆破処理し、金属のスクラップを回収するようにした装置が提案されている。
【０００３】
特許文献１には、バーナーで加熱される気密ケーシング内に、球形の爆破炉を収容し、この爆破炉内に弾薬を収容して加熱し、弾薬を爆破させて処理し、金属スクラップを回収するようにした弾薬処理装置が記載されている。
しかしながら、この装置は装置の構成が複雑であるため製造コストが高く、また６０ｍｍ口径までの弾薬しか処理できないという欠点を有していた。
【０００４】
特許文献２には、前記特許文献１に記載の装置の欠点を解消した装置の発明が提案されている。本発明のスペーサ容器はこのような装置に適用することができるので、まず、この装置について図に基づいて説明する。
【０００５】
図１０（ａ）は加熱爆破炉の断面図であり、図１０（ｂ）は図１０（ａ）におけるＩ−Ｉ線での断面図である。また、図１０（ｃ）は図１０（ｂ）と同様の断面図であるが、爆破によって生じた金属スクラップ２２を取り出す状態を示す図である。
図１０において、熱絶縁外部容器１は架台２に懸架されており、水平軸３のまわりに回転できるようになっている。外部容器１の壁には、容器内部を加熱するためのバーナー４及びバーナーで発生した燃焼ガスを排出するガス排出口５が設けられている。
【０００６】
外部容器１には、内部容器６への砲弾・爆弾の搬入口と金属スクラップの排出口とを兼ねた開口７が設けられており、この開口７は内部容器６の開口２３と連通している。内部容器６はダブルコーン型で、内部で起こる爆発に対して大きな抵抗性を有しており、外部容器１の開口７の部分と底部の支持部８とで支持されている。また、内部容器６には爆発ガスを排出するための排出管１６が設けられている。
【０００７】
上記のような構成の装置において、砲弾・爆弾はコンテナー２１から内部容器６のスクラップ層２２上に供給され、同時にバーナー４によって内部容器６が加熱される。加熱によって弾薬内部の爆発性物質が燃焼し、砲弾・爆弾が破壊され、金属部分がスクラップとしてスクラップ層２２を形成する。処理量が増えてこのスクラップ層２２が増大すると、図１（ｃ）に示すように外部容器１が１８０℃回転した状態となり、内部容器６の開口２３から金属スクラップがスクラップボックス２５に排出される。なお、堰部材２４はスクラップ２２の全てが排出されることがないようにするために設けられている。
【０００８】
この特許文献２に記載の加熱爆破炉はバッチ式であるので、処理の効率を上げるためには、複数本の砲弾・爆弾を容器内に収容しこれを加熱爆破炉に装入して複数発の砲弾・爆弾を同時に処理することができるようにする必要がある。しかしながら、この搬入時に、砲弾・爆弾が容器内で互いに接触したり、または他の金属部分に接触すると、強い衝撃が発生し、その衝撃により砲弾・爆弾が爆発する可能性がある。
【０００９】
砲弾・爆弾の運搬用容器に関しては、特許文献３に爆発のおそれのある爆薬類を保管、運搬するに際し、爆薬類が爆発しても人体や周辺設備に危害を及ぼさないようにした耐爆容器の発明が記載されているが、これは爆発を防止するための手段を提供するものではない。
【００１０】
【特許文献１】国際公開第９６／１２１５７号パンフレット
【特許文献２】国際公開第９７／４３５９４号パンフレット
【特許文献３】特公昭６１−５６０号公報
【発明の開示】
【発明が解決しようとする課題】
【００１１】
本発明は、複数の砲弾又は爆弾（以下、「砲弾・爆弾」と記載する。）を爆破炉で処理する際に、爆弾が相互に接触するのを防ぐための爆弾等の装入用のスペーサー容器を提供することを目的とする。
【課題を解決するための手段】
【００１２】
本発明者等は、上記課題を解決するべく鋭意検討を進めた結果、容器に砲弾・爆弾の保持機構を設けて砲弾・爆弾同士が接触しないようにし、また、容器壁及び容器内に設けた隔壁に可能な限り穴を開けることにより上記の課題が解決できることを見出して本願発明を完成した。
即ち、本願発明は下記の通りの構成を有する。
【００１３】
（１）バッチ式の加熱爆破炉に複数の砲弾又は爆弾を同時に装入するために用いる砲弾又は爆弾の装入用スペーサー容器であって、該容器内で該複数の砲弾又は爆弾が相互に接触しないようにスペーサーが配設されていることを特徴とする砲弾又は爆弾の装入用スペーサー容器。
（２）前記容器が可燃物でできている上記（１）の砲弾又は爆弾の装入用スペーサー容器。
（３）前記容器壁には雰囲気ガスが流通しかつ輻射熱が直接砲弾又は爆弾にあたるように穴があけられている上記（１）、（２）の砲弾又は爆弾の装入用スペーサー容器。
（４）前記容器壁の穴の開口率が容器壁面積合計の３５％以上、また隔壁を含む壁それぞれの開口率が２０％以上である上記（１）〜（３）の砲弾又は爆弾の装入用スペーサー容器。
（５）前記容器がダンボール製である上記（１）〜（４）の砲弾又は爆弾の装入用スペーサー容器。
（６）前記容器が木製である上記（１）〜（４）の砲弾又は爆弾の装入用スペーサー容器。
【発明を実施するための最良の形態】
【００１４】
本発明のスペーサー容器は、容器の外側を構成する外側壁部分と容器内で複数の砲弾・爆弾の相互が接触しないように保持するスペーサー部分とから構成される。本明細書では、外側壁部分とスペーサー部分とを合わせたものをスペーサ容器といい、また、スペーサー容器の壁とはスペーサ容器を構成する壁面をいう。
【００１５】
本発明のスペーサー容器は可燃物から構成されていることが好ましい。スペーサー容器が可燃物でできている場合には、スペーサー容器が燃焼してなくなることにより、断熱阻害効果が無くなる。また、スペーサー容器の燃焼によって発生する熱が砲弾・爆弾を加熱する効果も期待できる。但し、スペーサー容器の材料が過度の燃焼熱を発生する材料であると爆破炉のチャンバー上部を過熱してしまうので好ましくない。従って、スペーサー容器の材料は燃焼熱ができるだけ小さい方が良い。また、運搬の容易性の観点から、スペーサー容器の材料は軽量であることが好ましい。
【００１６】
このような可燃物の具体例としては、ダンボールのほかに単板又は合板の木材、ポリプロピレンなどのプラスチック類が挙げられる。
中でも、ダンボールは容器を自動生産することが可能であり、また、他の材料と比較すると同強度のものでもより軽量化することができ、かつ製品のばらつきが少ないという利点がある。
木材は開口率を大きくすることができるが、ダンボールに比べると同強度では重くなり、自動生産できないという欠点がある。また、プラスチックは、開口率を大きくすることができ、強度も高く自動生産が可能であるが、重量に対して燃焼熱が非常に大きいという欠点がある。
【００１７】
爆発を防止するには、砲弾・爆弾同士が接触するのを防ぐ必要があり、爆弾が相互に接触するのを防ぐための、最も単純なスペーサ容器の構造としては、穴の無い外側壁の中にやはり穴の無いスペーサ部分（仕切り板）を入れる構造が考えられる。しかしながら、これではスペーサ容器が燃焼して無くなるまでは外側壁及びスペーサ部分が断熱材として機能するため、輻射熱及び伝導熱の伝達が疎外され処理効率が低下するという問題がある。
【００１８】
爆破処理においては、１バッチ内で爆弾を入れてから最後に爆発するまでの時間をできる限り短くすることが好ましく、例えば７〜１０分、長くても２０分以内であることが好ましい。このためには、スペーサー容器に収容された砲弾・爆弾のそれぞれができる限り同時に爆破されることが必要である。しかしながら、爆破炉内で熱の伝達、熱の分布が不均一であると同時に爆破することができず、処理時間を短縮化することができない。
【００１９】
このため、本発明の一態様としてはスペーサー容器の壁に穴を開けることが好ましい。スペーサー容器の壁に穴を開けることにより、高温（５５０℃程度）に加熱されている炉壁又はスクラップベッドからの輻射熱、スクラップベッドとの接触による伝導伝熱、炉内の高温燃焼空気が穴を通過し砲弾・爆弾と接触することによる伝導熱による加熱が効率的に行われる。また、箱の端部が増えるため箱の燃焼が効率的に行われ、燃焼が速やかに終了する。
【００２０】
また、穴の開け方は、砲弾が入った状態で持ち上げられる強度を保つ範囲内で、できるだけ開口率が高いようにすることが好ましい。特に内部に火薬が入っている砲弾先端部が充分に加熱されるように、砲弾先端部周囲の箱の開口率を高くすることが好ましい。但し、砲弾先端軸線上は、万一砲弾がずれたときのために穴をあけない様にする。
穴の開口率は、砲弾を入れた状態で人が持ち上げられる強度を持つという条件が満たされる限りにおいてできるだけ大きくした方が良いが、好ましくは容器壁面積合計の３５％以上とし、より好ましくは４０％以上とする。またスペーサーを含む壁それぞれの開口率が２０％以上であることが好ましい。なお、後述する図１、図４、図７において７，８で示したスペーサは砲弾・爆弾の支持部であり、この部分に開口を設けることは必ずしも必要ではない。
以下では、実施例としてスペーサ容器の作製例を示す。また、実施例では「定形きい弾」を例に挙げて説明したが、本願発明のスペーサー容器は「非定形弾（変型弾）」又は「あか弾」等、他の種類の弾を処理する際のスペーサー容器としても使用することができる。
【実施例】
【００２１】
［実施例１］
図１〜３は４つの砲弾（９０ｍｍ定形きい弾）を収容するスペーサー容器の例を示す。
スペーサー容器１は外側壁（側壁２，３，４，５及び底板６）とスペーサ７〜１１からなっている。図１に示すように、底板６には１６個の穴が設けられている。図２は、１６個の穴が設けられた側壁３，５の正面図である。また、スペーサ９〜１１にも開口が設けられている。図３（ａ）は図１のＢ−Ｂ断面図であり、図３（ｂ）は図１のＣ−Ｃ断面である。
使用に際してはこのスペーサ容器１を二段重ねにして使用することもできる。
【００２２】
［実施例２］
図４〜６は２つの砲弾（１５０ｍｍ定形きい弾）を収容するスペーサー容器１の例を示す。
スペーサー容器１は外側壁（側壁２，３，４，５及び底板６）とスペーサ７〜９からなっている。図４に示されるように、底板６には６個の穴が設けられている。
図５は、８個の穴を設けたスーペーサ３，５の正面図である。また、スペーサ９にも穴が設けられている。
図６（ａ）は図４のＢ−Ｂ断面図であり、図６（ｂ）は図４のＣ−Ｃ断面図である。
【００２３】
［実施例３］
図７〜９は４つの砲弾（７５ｍｍ定形きい弾）を収容できるスペーサー容器１の例を示す。
スペーサー容器１は外側壁（側壁２，３，４，５及び底板６）とスペーサ７〜１１からなっている。図７に示すように、底板６には１２個の穴が設けられている。また、スペーサ９〜１１にも開口が設けられている。
図８は、１６個の穴が設けられているスーペーサー３，５の正面図である。
図９は図７のＣ−Ｃ断面図である。
【００２４】
［評価］
実施例１〜３で作製したスペーサ容器を使用し、図１０に示されるような加熱爆破炉で砲弾（定形きい弾）を処理したところ、いずれのスペーサ容器によっても２０分以内での処理が可能であった。
【産業上の利用可能性】
【００２５】
本発明の砲弾・爆弾の装入用スペーサー容器は、複数本の砲弾・爆弾を加熱爆破炉に安全に装入することができ、また、短時間での砲弾・爆弾の処理が可能なため、爆弾・爆弾の処理用容器として好適に使用できる。
【図面の簡単な説明】
【００２６】
【図１】本発明のスペーサー容器の一例を示す図である。
【図２】図１のスペーサー容器の外側壁の構造を示す図である。
【図３】図１のＢ−Ｂ断面図及びＣ−Ｃ断面図を示す図である。
【図４】本発明のスペーサー容器の他の例を示す図である。
【図５】図４のスペーサー容器の外側壁の構造を示す図である。
【図６】図４のＢ−Ｂ断面図及びＣ−Ｃ断面図を示す図である。
【図７】本発明のスペーサー容器の他の例を示す図である。
【図８】図７のスペーサー容器の外側壁の構造を示す図である。
【図９】図７のＢ−Ｂ断面図及びＣ−Ｃ断面図を示す図である。
【図１０】加熱爆破炉の一例を示す図である。
【符号の説明】
【００２７】
１  スペーサ容器
２，３，４，５，６  外側壁
７，８．９，１０，１１  スペーサ
１２  砲弾・爆弾
【図１】
2006029608.tif 000003
【図２】
2006029608.tif 000004
【図３】
2006029608.tif 000005
【図４】
2006029608.tif 000006
【図５】
2006029608.tif 000007
【図６】
2006029608.tif 000008
【図７】
2006029608.tif 000009
【図８】
2006029608.tif 000010
【図９】
2006029608.tif 000011
【図１０】
2006029608.tif 000012